(57)【要約】【課題】  携帯用端末装置に搭載する円偏波アンテナとして、小型で放射特性の良好な円偏波アンテナを提供する。【解決手段】  方形地板２と、上記方形地板２面に対し垂直に設けられたヘリカル３と、上記ヘリカルの略中心に上記方形地板面に対して垂直に立てられている中心導体４とからなり、上記ヘリカル３は上記方形地板２の四隅の内の一つに設けられている。これにより、小型で放射特性の良好な円偏波アンテナが実現できる。【選択図】  図１
2010050895.tif 000002
【特許請求の範囲】
【請求項１】
方形地板と、上記方形地板面に対し垂直に設けられ下端を接地したヘリカルと、上記ヘリカルの略中心に上記方形地板面に対して垂直に立てられている中心導体とからなり、上記ヘリカルは上記方形地板の四隅の内の一つに設けられている円偏波アンテナ。
【請求項２】
方形地板の寸法は、幅０．２６３〜０．２８４λ、長さ０．５０９〜０．６８３λ（λ：波長）であることを特徴とする請求項１記載の円偏波アンテナ。
【請求項３】
ヘリカルが設けられるのは、方形地板の幅方向に対して右上隅、または左下隅であることを特徴とする請求項１記載の円偏波アンテナ。
【請求項４】
ヘリカルは、外径がλ／１９以下であることを特徴とする請求項１記載の円偏波アンテナ。
【請求項５】
請求項１から４記載の円偏波アンテナを搭載した通信装置。
【発明の詳細な説明】
【技術分野】
【０００１】
本発明は、ＧＰＳなどの機能を備えた移動体通信装置等に用いる円偏波アンテナ、およびそれを搭載した通信装置に関する。
【背景技術】
【０００２】
近年、移動体通信の発展に伴い、移動体通信端末局に搭載する小型かつ高性能な円偏波アンテナの要求が高まっている。すなわち、移動体通信、とりわけ衛星からの電波を利用するＧＰＳ端末においては、衛星と端末相互の姿勢が時々刻々と変化するため、その姿勢変化の影響を受けにくい円偏波を利用することで、安定した通信を確保できる。さらに、携帯用端末装置はその性質上、軽量化、小型化が望まれるが、それに伴いアンテナの小型軽量化も要求される。
【０００３】
ここで、ヘリカルアンテナは、円偏波アンテナとしてよく知られている。ヘリカルアンテナは、らせん状に導体を巻いて構成されたアンテナであるが、周長（ないし半径）およびピッチの波長に対する大きさを変化させると、放射する電波の特性は大きく異なることが知られている。波長と同程度の周長を有するヘリカルアンテナは、軸方向に最大の放射を得ることができるとともに、円偏波を発生させるのであるが、これは軸モードと呼ばれている。一方、波長に比べて十分小さい周長を有するヘリカルアンテナは、モノポールアンテナと同様の八の字型の放射特性を有するとともに、直線偏波ないし直線偏波に近い楕円偏波を発生させる。これはノーマルモードと呼ばれる。
【０００４】
例えば、軸モードを利用したヘリカルアンテナとして（特許文献１）がある。また、ノーマルモードを利用したヘリカルアンテナとして（特許文献２）、（特許文献３）がある。（特許文献２）には、横方向長さが１．１２λ、縦方向長さが０．５７λの基板（金属板上に絶縁層を形成したもの）の中央に直径０．１０５λのヘリカルアンテナが設けられた構成が開示されている。（特許文献３）には、大きな地板を用いる必要がないヘリカルアンテナが開示されている。
【０００５】
また、市販されている小型ＧＰＳ用アンテナとしては、（１）高誘電率基板上の正方形パッチアンテナ（２０ｍｍ角程度）に切り欠きを設けたものや、（２）正方形パッチアンテナの四隅に多数のフィンを設けたもの（１２ｍｍ角）、および、（３）Ｑｕａｄｒａ−ｆｉｌａｒ  ｈｅｌｉｘ  ｔｙｐｅ  ａｎｔｅｎｎａ（１２φ×１８．５Ｈｍｍ）などがある。その他、市販されている小型アンテナとしては、（４）逆Ｆタイプや（５）巻き線タイプ、（６）変形逆Ｆタイプのものがある。
【特許文献１】特開２００４−３３６３３１
【特許文献２】特開２００３−１０１３２７
【特許文献３】特開２００３−１５２４２７
【発明の開示】
【発明が解決しようとする課題】
【０００６】
しかし、（特許文献１）に記載のヘリカルアンテナをはじめ、軸モードを利用するヘリカルアンテナは、円偏波を軸方向に放射するという、姿勢が随時変化する携帯用端末装置にとっては良好な放射特性を有するものの、通常ＧＰＳで用いられる軸モードヘリカルアンテナは、ヘリカルの直径が６〜７センチとなるためアンテナ部分の体積が極めて大きくなるという欠点を有しており、携帯用端末装置には不向きであった。携帯用端末装置の例として、ＧＰＳ端末や、衛星を利用した携帯電話が挙げられる。
【０００７】
また、（特許文献２）、（特許文献３）に記載のアンテナはノーマルモードを利用するものであるが、ノーマルモードのヘリカルアンテナは通常モノポールアンテナと同じ放射特性を有するので、モノポールアンテナをコンパクトにする手段として用いられる。しかし、アンテナ長がλ／１９以上と長いため、薄型携帯端末に搭載するには必ずしも適しているとはいえない。しかも、ノーマルモードヘリカルアンテナは、モノポールアンテナと同じ垂直面内で八の字型の指向性を有するので、軸方向にヌル点が存在し、衛星からの電波を受信する際、携帯用端末装置の姿勢によっては受信できない方向が存在するので、携帯用端末装置にとって適当な放射特性を有するアンテナではない。
【０００８】
さらに、市販のアンテナについては、（１）（２）（３）は円偏波を放射するものの、携帯用端末装置に搭載するにはサイズが大きい。また（４）（５）（６）は垂直・水平偏波成分を共有するが、軸対称性が良好とはいえず、また、垂直・水平面内で８の字の指向性を有するのでヌル点が存在し、全天空にわたる広角度の受信に不感帯を生じるという課題がある。
【０００９】
以上の通り、携帯用端末装置に搭載する円偏波アンテナとして、小型で放射特性の良好な円偏波アンテナが望まれている。
【００１０】
そこで、本発明は、携帯用端末装置に搭載する円偏波アンテナとして、小型で放射特性の良好な円偏波アンテナを提供することを目的とする。
【課題を解決するための手段】
【００１１】
本発明の請求項１記載の円偏波アンテナは、方形地板と、上記方形地板面に対し垂直に設けられ下端を接地したヘリカルと、上記ヘリカルの略中心に上記方形地板面に対して垂直に立てられている中心導体とからなり、上記ヘリカルは上記方形地板の四隅の内の一つに設けられていることを特徴とする。
本発明の請求項２記載の円偏波アンテナは、請求項１記載の円偏波アンテナであって、方形地板の寸法は、幅０．２６３〜０．２８４λ、長さ０．５０９〜０．６８３λ（λ：波長）であることを特徴とする。
本発明の請求項３記載の円偏波アンテナは、請求項１記載の円偏波アンテナであって、ヘリカルが設けられるのは、方形地板の幅方向に対して右上隅、または左下隅であることを特徴とする。
本発明の請求項４記載の円偏波アンテナは、請求項１記載の円偏波アンテナであって、ヘリカルは、外径がλ／１９以下であることを特徴とする。
本発明の請求項５記載の通信装置は、請求項１から４記載の円偏波アンテナを搭載したことを特徴とする。
【発明の効果】
【００１２】
請求項１記載の本発明によれば、サイズの小さいヘリカルアンテナから、良好な円偏波が軸方向に発生するという効果を発揮するものである。
請求項２記載の本発明によれば、この幅および長さに収まる方形地板を使うことにより、縦横比が円に近い良好な円偏波を発生するという効果を発揮するものである。また、垂直面内指向性は水平面からの仰角が３０°以上で特に良好なレベルを達成しており、衛星からの電波を受けるために必要とされるための条件を十分満たすものである。さらに、水平面内指向性も、全方向でほぼ良好なレベルを達成している。さらに、このサイズは通信装置、特に携帯用端末装置に搭載するのに適したコンパクトなサイズでもある。
請求項３記載の本発明によれば、ヘリカルを方形地板の右上ないし左下隅に配置することで、方形地板に生じる電流分布により、良好な右旋円偏波を発生するという効果を発揮するものである。
請求項４記載の本発明によれば、良好な円偏波を発生するとともに、コンパクトな円偏波アンテナを実現するという効果を発揮するものである。
請求項５記載の本発明によれば、実用上、垂直面、水平面のどの方向にも感度の高い通信装置を実現するという効果を発揮するものである。
【発明を実施するための最良の形態】
【００１３】
本発明の実施の形態について、図１〜２を参照して以下に説明する。
図１は、本発明の実施形態の一つである円偏波アンテナの概略を示す上面図である。また図２は、図１のＡ−Ｂ線に沿って切断したヘリカルアンテナ部分の断面側面図および上面図である。図１、２に示すように本実施の形態の円偏波アンテナ１は、方形地板２、ヘリカル３、中心導体４を備えている。
【００１４】
方形地板２は、幅Ｗ、長さＬの方形である。そして、好ましい実施例として後述するように、波長との関係で所定の幅Ｗ、長さＬを有するものである。また、方形地板２は、絶縁体の両面に導電体である銅をプリントした構成を有している。絶縁体は、例えば、ガラス繊維からなる板にテフロンコーティングが施されている。そして、方形地板２は、携帯用端末装置の構成部品の一部でもある。例えば、この方形地板２の裏面上に、携帯用端末装置の各種部品、例えば、通信機能部品やワンセグレシーバの部品が搭載されていてもよい。
【００１５】
ヘリカル３は、銅線、錫めっき線、エナメル線、燐青銅線、金メッキ線などの導電体のワイヤーをらせん状に形成したものである。そして、このように形成したヘリカル３は、方形地板２の四隅のうちの一つ、望ましくは、図１のように幅方向に対して右上隅に、もしくは図示しない左下隅に、その軸を方形地板２の面に対して垂直となるよう配置されている。右上隅ないし左下隅に配置した場合、本アンテナからは右旋円偏波がヘリカル３の軸方向に発生する。その他の場合は、左旋円偏波となる。そして、ヘリカル３下端部は方形地板２の上面の導電体に接地されている。図２においては、その一例として、金属製のワッシャーを介して、半田付けにより所定の場所に設置されている。
【００１６】
そして、中心導体４は、図１，２に示すとおり、ヘリカル３の略中心部分に同心状に、方形地板２に対して垂直に立てられている。中心導体４は、ヘリカル３と同じ材料を用いることができる。中心導体４の下端は、方形地板２に設けられた穴を貫通し、マイクロストリップライン５に接続されている。マイクロストリップライン５は、方形地板２の裏面にプリントされた銅箔を線状に残して形成されている。なお、マイクロストリップラインに代えて、同軸中心導体に接続してもよい。マイクロストリップライン５の先は、図示しない受信機への伝送線路を形成している。このように設けられた中心導体４は、ヘリカル３を励振し、ヘリカル３とともにヘリカルアンテナを構成する。そして、この構成は、インピーダンス整合に重要な役割を有する。つまり、この構成によれば、システムインピーダンスとの整合を取り、かつ放射を最大にすることが可能である。
【００１７】
以上の構成により、本円偏波アンテナは、以下の動作により円偏波を発生するものである。
【００１８】
無限地板上に設置した小型ヘリカルアンテナは、アンテナ軸に平行な直線偏波を放射する。しかし、方形地板２の隅にヘリカル３を設置し、方形地板２の寸法を適当に選ぶと、方形地板２上に生じる電流分布により地板天頂方向に円偏波が発生する。なぜならば、直線偏波アンテナは、アンテナ装着位置を地板中心からオフセットさせると，アンテナ単体では有しない直交偏波成分を放射するからである。これは、地板上に発生する面電流が給電点をオフセットすると、非対称に発生することに起因している。このとき、発生電流は基板端部に集中し、その波長比で表した縦横寸法に依存した位相を有することとなる。ダイポールアンテナの波長比寸法で入力インピーダンスが変化するのと同様な特性である。したがって、携帯端末装置に小型直線偏波アンテナを基板隅に垂直に立てて装着すると、基板寸法によって天頂方向に円偏波を放射するアンテナが構成出来るのである。
以下に、本発明の円偏波アンテナの実施例を示す。
【実施例】
【００１９】
（１）ヘリカルアンテナ
本実施例で採用するヘリカルの外径は、ヘリカル３の直径（６．４ｍｍ）にヘリカル３を構成するワイヤの直径（１．２ｍｍ）を加えた７．６ｍｍであり、波長比で換算するとλ／２５である。周波数は，ＧＰＳで用いられている１．５７５ＧＨｚを用い、これに対応する波長λは約１９０．４ｍｍである。表１に、本実施例のヘリカルアンテナの寸法を示す。なお、アンテナの寸法増加で利得や帯域幅も増大するのであるが、アンテナの小型化のためには外径は１０ｍｍ以下（波長比換算でλ／１９）であることが望ましい。
同様に、ヘリカル３の高さについても携帯用端末装置に用いるためには１０ｍｍ以下にアンテナ高さを抑えることが要求されることから、ヘリカル３の高さも１０ｍｍ以下（波長比換算でλ／１９）であることが望ましい。
【表１】
2010050895.tif 000003
表１に示した各部寸法を用いてモーメント法ＩＥ３Ｄによりシミュレーションを行った。ヘリカル巻き数の４０／１２は、解析に用いた一回り１２セグメントに対して４０セグメント、すなわち３．３３回である。このアンテナを無限地板上に設置した時は、モノポールアンテナと同様の指向性を示し、直線偏波利得：−０．４７ｄＢｉを得ている。これを、幅Ｗ：５４ｍｍ×長さＬ：１１０ｍｍの方形地板２の、幅方向に対して右隅（７ｍｍ×７ｍｍ）の位置に、方形地板２の面に対して垂直に立てた状態を想定した。以下、このシミュレーションによって得られた値を計算値と呼ぶ。
【００２０】
これとは別に、表１の寸法を有するヘリカルアンテナを実際に作成した。ヘリカルには、直径１．２ｍｍの錫メッキ線を用い、表１に示すヘリカル直径、中心導体直径を用いてヘリカルアンテナを実際に作成した。巻数２．７回、高さ５．６ｍｍ、中心導体長５．４ｍｍで目的周波数に共振できた。これを上記寸法の地板の同様の位置に設置し、各種の測定を行った。以下、これによって得られた値を実測値と呼ぶ。
【００２１】
図３は本発明の円偏波アンテナのリターンロス特性を表す特性図である。図３において、縦軸はリターンロス、横軸は周波数を表し、計算値を点線で、実測値を実線で示す。図３によれば、計算値のリターンロスの最低は−１８．６ｄＢであり、実用のアンテナとしての良好な使用目安である−１０ｄＢ以下の帯域幅は６ＭＨｚであった。一方、実測値のリターンロス特性は最低−１８．５ｄＢであり、実用のアンテナとしての良好な使用目安の−１０ｄＢ以下の帯域幅は１６ＭＨｚであった。以上のように、寸法に若干の違いは認められるものの、実際のアンテナの製作においてもその特性を十分に実現できるものである。
【００２２】
図４は、方形地板２上の電流分布を表す模式図である。このように、地板の上縁横方向および右端縦方向に電流が集中して生じる。その波長比寸法は，幅Ｗ方向がλ/２より短かく（Ｃａｐａｓｉｔｉｖｅ：進み），長さＬ方向はλ/２より長め（ｉｎｄｕｃｔｉｖｅ：遅れ）となって、両者の位相が約９０度異なり、横から縦方向に位相回転が起こり、基板天頂方向に右旋円偏波を放射するものである。
【００２３】
なお、本実施例ではヘリカルアンテナは基板の幅方向に対して右上隅に設置したが、左下隅に設置しても同様の結果が得られる。
【００２４】
（２）地板
より良好な円偏波を発生させる円偏波アンテナを実現するため、方形地板２の寸法を、携帯端末装置に採用されている幅Ｗ：４４ｍｍから５４ｍｍの範囲、および長さＬ：７０ｍｍから１４０ｍｍの範囲で変化させて計算値、実測値を求めた。なお、計算値においては、幅Ｗ：４４ｍｍ、５０ｍｍ、５４ｍｍについてシミュレーションを行い、実測値については、幅Ｗ：５４ｍｍについて測定を行った。
【００２５】
図５は、地板の幅Ｗ、長さＬを変化させたときの円偏波軸比特性を表す特性図である。図５において縦軸は円偏波軸比、横軸は地板の長さＬを表し、点線は幅Ｗ：４４ｍｍの場合における計算値、実線は幅Ｗ：５５ｍｍの場合における計算値、太線は幅Ｗ：５４ｍｍの場合における計算値、楕円は幅Ｗ：５４ｍｍの場合における実測値を表す。軸比の最低値は、幅Ｗ：４４ｍｍの場合は、長さＬ：１２０ｍｍで、幅Ｗ：５０ｍｍおよび幅Ｗ：５４ｍｍ（計算値、実測値とも）の場合は長さＬ：１１０ｍｍで発生し、このときの軸比はそれぞれ２．２ｄＢ、０．５ｄＢ、１．０ｄＢであった。このように、計算値と実測値は、その特性がほぼ一致しているので、計算値により実際のアンテナの仕様を決定することが可能であると言える。
【００２６】
そして、実用のアンテナとしての良好な使用目安である３ｄＢ以下が実現できる地板幅Ｗは、５０ｍｍから５４ｍｍであり、地板長さＬは、９７ｍｍから１３０ｍｍであり、それぞれ波長比で換算すると、Ｗ：０．２６３〜０．２８４λ、Ｌ：０．５０９〜０．６８３λである。さらに好ましくは、２ｄＢ以下が実現できる地板長さは、１００ｍｍから１２５ｍｍであり、同様に波長比で換算すると、０．５２５〜０．６５７λである。また、６ｄＢの円偏波軸比は、約２対１になるが、この程度の軸比であっても円偏波として十分受信は可能である。このときの地板幅Ｗは、４４ｍｍから５４ｍｍであり、地板長さＬは、８５ｍｍ以上であり、それぞれ波長比で換算すると、Ｗ：０．２３１〜０．２８４λ、Ｌ：０．４４６λ以上である。このように、円偏波は真円でなくても、ある程度円に近ければ実用上使用に耐えうる。
【００２７】
図６は、地板幅Ｗ：５０ｍｍの場合における、地板長さＬを変化させたときの、Ｘ−Ｚ面内、地板天頂方向（θ＝０）でのＥθ成分、およびＥφ成分の利得（ｄＢｉ）の変化を表した特性図である。なお、θは地板天頂方向からの角度、φはＸＹ平面内におけるＸ軸からの角度を表す。図６によれば、方形地板２の長さＬの変化でＥθは大きく変化しないが、Ｅφのレベルは徐々に減少している。これは地板長さＬ方向の発生電流の振幅が変化したためであり，長さＬ：１１０ｍｍで、長さＬ：８０ｍｍの最大値：０ｄＢｉより３ｄＢ低下してＥφとほぼ一致している。このとき、図５より、円偏波軸比：０．５ｄＢｉが得られていることがわかる。
【００２８】
なお、通信装置に搭載する場合に生じるヘリカルアンテナ部分の突出を避けるため、ヘリカルアンテナ搭載部分の方形地板を窪ませて形成しておいてもよい。
このように、有限地板隅に小型ヘリカルアンテナを設置して、その地板寸法を適当に選べば、良好な円偏波を発生するという効果を発揮するものである。
【００２９】
（３）円偏波の放射特性（指向性と利得）
図７、８は、方形地板２の寸法が，幅Ｗ：５４ｍｍ×長さＬ：１１０ｍｍにおける、φ＝０°（ＸＺ面内）、およびφ＝９０°（ＹＺ面内）での垂直面内右旋円偏波指向性を表す特性図である。点線は計算値を、実線は測定値を示す。ひと目盛りは１０ｄＢを表す。右旋円偏波の最大値は、ヘリカルアンテナ軸方向電流と基板上ＸおよびＹ方向電流とのベクトル和でθ＝−３０°付近で発生し、これより±６０°の範囲で５ｄＢ程度減少している。θ＝０°での利得は−０．２ｄＢｉｃであった。なお、図７において、θ＝９０°でレベルの低下があるが、これはヘリカル３自身が存在するために生じる影響である。また、実測値と計算値とは後方ローブおよびヌル点深さに違いが認められるが、特性はほぼ一致している。したがって、実際のアンテナの設計に計算値を用いてもよいといえる。
【００３０】
図９は、水平面内（ＸＹ面内）の円偏波指向性を表す特性図である。点線は計算値を、実線は測定値を表す。図９の上方がφ＝０°、すなわち，基板の横方向（アンテナ側）であり，この方向にレベルの落ち込みが認められる。これは図７におけるθ＝９０°でのレベル低下に対応し、上述の利得最大値のθ＝−３０°からは１５０°離れており、携帯端末装置を使用する際、実用上使用することのない範囲での落ち込みである。また、実測値と計算値とは、特性はほぼ一致している。したがって、実際のアンテナの設計に計算値を用いてもよいといえる。
【００３１】
（４）通信装置（携帯用端末装置）
図１０は、本発明の円偏波アンテナが搭載されている携帯用端末装置の使用状態を説明する図である。方形地板２の上には通常数字等の入力キーが配置されているが、説明のためこれは省略している。方形地板２の寸法は、ほぼ携帯用端末装置の幅や長さに近いものである。このように、本発明の方形地板２は、通常の携帯端末装置に適した大きさとなっている。
【００３２】
図１０のように、携帯用端末装置を手に持って操作するときは、通常、水平面から約３０度程度傾けて保持している。図１０は、説明のため、図７から９の特性図を縮小して表示している。図７、８でも説明したとおり、利得の最大値は方形地板２の面に対して垂直方向から約３０°、ヘリカルアンテナとは逆の方向に倒れていることがわかる。そして、これは、図１０のように、携帯用端末装置を所持している使用者の左斜め後方を向いている。しかし、図７から９で説明した通り、少なくとも方形地板２のヘリカルアンテナ側の円偏波指向性はほぼ均一であり、またθ＝±６０°でのレベル変化も５ｄＢの減少に収まっているので、使用者が携帯用端末装置をどの方位に向けても良好な受信が可能である。
【００３３】
また、図１１に示すとおり、アンテナ設置位置を現位置と逆対称の左下隅に置き換えると、携帯用端末装置を手に取ったとき、利得の最大値は方形地板２の面に対して垂直方向から約３０°、ヘリカルアンテナとは逆の方向に倒れることから、使用者の右斜め前方側、つまりほぼ天頂方向に利得最大が生じる。そして同様に、θ＝±６０°でのレベル変化は５ｄＢの減少に収まっているので、ヘリカルアンテナを右上隅に設ける場合に比べて、より良好な受信が可能である。
なお、本実施例では、方形地板２を数字入力キーの下に配置したが、これに限られるものではない。
【００３４】
本発明の円偏波アンテナは、円偏波を利用する通信装置に搭載して用いることができるものであり、特に小型化が要求される携帯用端末装置、例えば電話用送信機、受信機、ワンセグ受信機、ＧＰＳ受信機に使用できるものである。もちろん、携帯用のみならず、移動を伴わない通信装置にも用いることができるものである。
また、移動体通信の端末のみならず，ＧＰＳ機能搭載通信モジュールを用いた広域ＲＦＩＤに適用して、ＧＰＳ、ＣＤＭＡ（８１５〜９２５ＭＨｚ）アンテナを基板上に一体化すれば、より利便性が向上する。
【産業上の利用可能性】
【００３５】
本発明の円偏波アンテナは、円偏波を採用しうるあらゆる通信装置、一例として移動体通信用端末に用いることができる。
【図面の簡単な説明】
【００３６】
【図１】本発明の円偏波アンテナの概略を示す上面図
【図２】本発明の円偏波アンテナのヘリカルアンテナ部分の断面側面図
【図３】本発明の円偏波アンテナのリターンロス特性を表す特性図
【図４】本発明の円偏波アンテナの方形地板上の電流分布を表す模式図
【図５】本発明の円偏波アンテナの円偏波軸比特性を表す特性図
【図６】本発明の円偏波アンテナの利得Ｅθ、およびＥφの変化を表した特性図
【図７】本発明の円偏波アンテナの垂直面内における円偏波指向性を表す特性図
【図８】本発明の円偏波アンテナの垂直面内における円偏波指向性を表す特性図
【図９】本発明の円偏波アンテナの水平面内における円偏波指向性を表す特性図
【図１０】本発明の円偏波アンテナが搭載されている携帯用端末装置の使用状態を説明する説明図
【図１１】本発明の円偏波アンテナが搭載されている携帯用端末装置の使用状態を説明する説明図
【符号の説明】
【００３７】
１  円偏波アンテナ
２  方形地板
３  ヘリカル
４  中心導体
【図１】
2010050895.tif 000004
【図２】
2010050895.tif 000005
【図３】
2010050895.tif 000006
【図４】
2010050895.tif 000007
【図５】
2010050895.tif 000008
【図６】
2010050895.tif 000009
【図７】
2010050895.tif 000010
【図８】
2010050895.tif 000011
【図９】
2010050895.tif 000012
【図１０】
2010050895.tif 000013
【図１１】
2010050895.tif 000014